(57)【要約】      （修正有）【課題】植木鉢やプランター等の栽培容器において、栽培植物を支える支え棒の立設を極めて容易に行え、支え棒によって草木の根を傷める懸念がなく、安定した立設状態を維持できる。【解決手段】硬質合成樹脂又はセラミックスの成形物からなる植木鉢１であって、周壁１ａ上部の複数箇所に設けた立設支持孔２に、支え棒３の下端挿入部３１を挿嵌することにより、支え棒３を立設状態に支持するように構成されている。【選択図】図１
0003119228.tif 000002
【実用新案登録請求の範囲】
【請求項１】
硬質合成樹脂又はセラミックスの成形物からなり、周壁上部の複数箇所に立設支持孔が設けられ、この立設支持孔に栽培植物を支える支え棒の下部を挿嵌して、当該支え棒を立設状態に支持するように構成されてなる栽培容器。
【請求項２】
立設支持孔が周壁上部の内周側に設けられてなる請求項１記載の栽培容器。
【請求項３】
立設支持孔の下端が外部に開放してなる請求項１又は２に記載の栽培容器。
【請求項４】
植木鉢である請求項１〜３のいずれかに記載の栽培容器。
【請求項５】
前記請求項１〜４のいずれかに記載の栽培容器と、該栽培容器の立設支持孔に立設する複数本の支え棒とからなる栽培容器ユニット。
【請求項６】
栽培容器の周壁上部に、各立設支持孔に臨んで容器内外方向に延びる係止溝が形成される一方、各支え棒は、下部がＺ字状に２段曲折して下端挿入部と支柱部との間に横連杆部を形成し、その下端挿入部を立設支持孔に挿入させると共に、横連杆部を前記係止溝に嵌合するように構成されてなる請求項５記載の栽培容器ユニット。
【請求項７】
前記の横連杆部の長さが異なる複数種の支え棒を備えてなる請求項６記載の栽培容器ユニット。
【考案の詳細な説明】
【技術分野】
【０００１】
本考案は、草木の栽培に用いる植木鉢やプランター等の栽培容器及び栽培容器ユニットに関する。
【背景技術】
【０００２】
植木鉢やプランターで草木を栽培する際、草木の茎や幹を支えたり、蔓性植物を巻きつかせたりするための支え棒を用いることが多々ある。しかるに、このような支え棒は、一般的に、草木の栽培土中に尖った下端部を突き刺して立設することから、栽培土の状態や混入石等によって立設が困難であったり、突き刺す時に草木の根を傷め易く、また栽培土の性状や外力等で立設状態が不安定になり、ぐらついて支え棒としての機能を喪失することも往々にしてあった。
【考案の開示】
【考案が解決しようとする課題】
【０００３】
本考案は、上述の情況に鑑み、植木鉢やプランター等の栽培容器において、栽培植物を支える支え棒を用いる際に、その立設を極めて容易に行える上、該支え棒によって草木の根を傷める懸念がなく、且つ安定した立設状態を維持できる手段を提供することを目的としている。
【課題を解決するための手段】
【０００４】
上記目的を達成するために、請求項１の考案に係る栽培容器は、図面の参照符号を付して示せば、硬質合成樹脂又はセラミックスの成形物からなり、周壁１ａ上部の複数箇所に立設支持孔２が設けられ、この立設支持孔２に栽培植物を支える支え棒３の下部（下端挿入部３１）を挿嵌して、当該支え棒３を立設状態に支持するように構成されてなる。
【０００５】
請求項２の考案は、上記請求項１の栽培容器において、立設支持孔２が周壁１ａ上部の内周側に設けられてなる構成としている。
【０００６】
請求項３の考案は、請求項１又は２の栽培容器において、立設支持孔２の下端２ｂが外部に開放してなる構成としている。
【０００７】
請求項４の考案は、請求項１〜３のいずれかの栽培容器が植木鉢１である構成としている。
【０００８】
また、請求項５の考案に係る栽培容器ユニットは、上記請求項１〜４のいずれかに記載の栽培容器１と、該栽培容器１の立設支持孔２に立設する複数本の支え棒３とからなるものとしている。
【０００９】
請求項６の考案は、上記請求項５の栽培容器ユニットにおいて、栽培容器１の周壁１ａ上部に、各立設支持孔２に臨んで容器１内外方向に延びる係止溝４が形成される一方、各支え棒３は、下部がＺ字状に２段曲折して下端挿入部３１と支柱部３０との間に横連杆部３２を形成し、その下端挿入部３１を立設支持孔３に挿入させると共に、横連杆部３２を前記係止溝４に嵌合するように構成されてなる。
【００１０】
請求項７の考案は、上記請求項６の栽培容器ユニットにおいて、横連杆部３２の長さが異なる複数種の支え棒３Ａ〜３Ｃを備えてなる構成としている。
【考案の効果】
【００１１】
請求項１の考案に係る栽培容器によれば、栽培植物を支えるための支え棒は、栽培容器の周壁上部に設けた立設支持孔に下部を挿嵌して立設できるから、その立設操作が極めて容易であり、しかも立設の際に植えている草木の根を傷める懸念が全くなく、また安定した立設状態を維持できる。
【００１２】
請求項２の考案によれば、立設支持孔が周壁上部の内周側に設けられているから、栽培容器の外観がすっきりして見栄えよくなる。
【００１３】
請求項３の考案によれば、立設支持孔の下端が外部に開放しているから、該立設支持孔が栽培土で詰まって支え棒を挿入できなくなったり、水が溜まって支え棒の下部が腐食するといった問題を生じない。
【００１４】
請求項４の考案によれば、特に植木鉢として、支え棒の立設に手間を要さず、該支え棒で草木の根を傷めることもなく、安定した立設状態を維持できるものが提供される。
【００１５】
請求項５の考案によれば、上記の立設支持孔を有する栽培容器と支え棒とがユニットになったものが提供される。
【００１６】
請求項６の考案によれば、支え棒は、下部がＺ字状に２段曲折し、その下端挿入部を立設支持孔に挿入して、横連杆部を前記係止溝に嵌合する構成であるから、その支柱部を横連杆部の長さだけ内側に配置できる上、該横連杆部と係止溝との嵌合で回り止めされるため、支柱部の配置位置を安定に維持できる。
【００１７】
請求項７の考案によれば、栽培容器ユニットとして、横連杆部の長さが異なる複数種の支え棒を備えるから、栽培植物の種類や成育状況及び植付け状態等に応じて、支え棒の支柱部の配置位置を変更できる。
【考案を実施するための最良の形態】
【００１８】
以下、本考案を植木鉢に適用した一実施形態について、図面を参照して具体的に説明する。図１は植木鉢１に支え棒３を立設する操作を示す全体の斜視図、図２は植木鉢１の平面図、図３は該植木鉢１の上部の縦断面図、図４は種類の異なる支え棒を示す側面図、図５は植木鉢１に対する支え棒３の立設状態を示す要部の縦断側面図である。
【００１９】
図１〜図３に示すように、植木鉢１は、硬質合成樹脂又はセラミックスの成形物からなり、全体的に上方へ緩やかに拡径する周壁１ａが、上部寄りに位置した環状段部１２より下位側の栽培土充填部１０と、上位側の径大な環状突縁部１１とで構成され、上縁１３が外側へ折り返し状になっている。
【００２０】
環状突縁部１１の内周側の周方向に等配した３か所には、それぞれ環状段部１２から上縁１３に達する角柱状のリブ１４が一体形成されている。これらリブ１４には、周壁１ａの勾配に沿って上下に透通する立設支持孔２と、該立設支持孔２の上端開口２ａの位置から植木鉢１の半径方向に沿って内側へ延びる係止溝４とが形成されている。そして、各立設支持孔２の下端開口２ｂは、環状段部１２の位置で植木鉢１の外側へ開いている。
【００２１】
植木鉢１の底壁１ｂは、図２で示すように、中央の円形膨出部１５、その外側の浮き底部１６、最外周の接地底部１７、周方向に等配した３か所で円形膨出部１５と周壁１ａと間を結ぶ畝状膨出部１８より構成され、円形膨出部１５の周辺から浮き底部１６へかけてスリット状に開いた周方向６か所の水抜き孔５…が形成されている。しかして、畝状膨出部１８の下面側は、円形膨出部１５の下側空間と側方外部とを連通する通気路７（図１参照）を成形している。なお、図２中の６は、周方向６か所で底壁１ｂの接地底部１７と周壁１ａの下部とを繋ぐ補強リブである。
【００２２】
支え棒３は、金属やプラスチックの線材、細径パイプ、金属芯線入りのセラミックやプラスチックの線材等からなり、図１に示すように、下部がＺ字形に２段曲折することにより、支柱部３０と下端挿入部３１との間に横連杆部３２を形成している。そして、この支え棒３は１個の植木鉢１に対して３本がセットになっており、それぞれ各リブ１４の立設支持孔２に下端挿入部３１を挿入すると共に、横連杆部３２を係止溝４に係嵌することにより、支柱部３０が横連杆部３２の長さだけ植木鉢１の中央側へ寄った位置で立設固定されるようになっている。
【００２３】
上記構成においては、各支え棒３は、植木鉢１の環状突縁部１１に設けた立設支持孔３に下端挿入部３１を挿嵌して立設でき、その操作が極めて容易であり、しかも従来のように下端を栽培土中に突き刺すわけではないから、既に植わっている草木の根を傷める懸念が全くないと共に、栽培土の性状や外力等で立設状態が不安定になる恐れもなく、栽培植物の支えとしての機能を安定に維持できる。
【００２４】
また、この実施形態では、立設支持孔３が周壁１ａ上部の内周側に設けられているから、植木鉢１の外観がすっきりして見栄えよい上、その下端開口３ｂが外部へ開放しているので、栽培土で詰まって支え棒を挿入できなくなったり、水が溜まって支え棒３の下部が腐食するといった問題を生じない。更に、支え棒３の下部がＺ字状に２段曲折し、その下端挿入部３１を立設支持孔２に挿入した状態で、横連杆部３２が係止溝４に嵌合して回り止めされるため、支柱部３０の配置位置が変動しない。
【００２５】
このような植木鉢１と支え棒３とは、通常は植木鉢ユニットとして商品化されるが、支え棒３は同様の立設支持孔２を形成した他の種々の栽培容器に共用できる独立商品とすることも可能である。また、支え棒３については、同じサイズのものをセットにする以外に、例えば図４に示す支え棒３Ａ，３Ｂ，３Ｃのように横連杆部３２の長さが異なる複数種を用意しておけば、その選択によって図５に示すように支柱部３０の配置位置が変わるから、植物の成育状況及び植付け状態等に応じ、それに適した支え位置を設定できる。
【００２６】
なお、立設支持孔２に臨ませる係止溝４については、実施形態のように立設支持孔２から内側へ延びるものに限らず、逆に外側へ延びるものとして、支え棒３の支柱部３０を植木鉢１等の栽培容器の外側に配置させるようにしたり、更に立設支持孔２から内外両側へ延びるものとして、該支柱部３０を栽培容器の内外両側のいずれにも選択配置できるようにしてもよい。
【００２７】
本考案を適用する栽培容器としては、実施形態で例示した植木鉢１に限らず、環状段部１２のない植木鉢、横長箱型のプランター、有底箱型の花壇、更には様々の装飾形状を持つ花鉢等、多種多用なものがある。一方、支え棒についても、例示したような単なる棒状のものに限らず、枝部を有するもの、分岐状をなすもの、花部受けを有するもの、蔓性植物を巻きつかせるために複数本を横桟やリング等で連結できるようにしたもの、複数本が上部で一体化したもの等、様々な形態のものを包含する。更に、各栽培容器における立設支持孔２の数と配置構成、立設支持孔２を設ける部分の形状等、細部構成については種々設計変更可能である。
【図面の簡単な説明】
【００２８】
【図１】本考案の一実施形態に係る植木鉢に支え棒を立設する操作を示す全体の斜視図である。
【図２】同植木鉢の平面図である。
【図３】図２のＡ−Ａ線における植木鉢上部の断面矢視図である。
【図４】本考案に用いる横連杆部の長さが異なる支え棒を示す側面図である。
【図５】同植木鉢に対する支え棒の立設状態を示す要部の縦断側面図である。
【符号の説明】
【００２９】
１          植木鉢（栽培容器）
１ａ        周壁
１１        環状突縁部（周壁上部）
２          立設支持孔
２ａ        上端開口
２ｂ        下端開口
３          支え棒
３Ａ〜３Ｂ  支え棒
３０        支柱部
３１        下端挿入部
３２        横連杆部
４          係止溝
【図１】
0003119228.tif 000003
【図２】
0003119228.tif 000004
【図３】
0003119228.tif 000005
【図４】
0003119228.tif 000006
【図５】
0003119228.tif 000007